(57)【要約】【課題】部品コストの上昇を招くことなく、ドライバＩＣが実装される複数の回路基板とこれらの回路基板に信号を分配する配線基板との位置決め精度を維持することができる液晶表示アセンブリおよび表示装置を提供すること。【解決手段】液晶表示アセンブリ１ａは、表示パネル１１と、該表示パネル１１を駆動するドライバＩＣ１２が実装され前記表示パネル１１に装着される複数の回路基板１３と、外部からの信号を前記複数の回路基板１３に分配する第一の配線基板１６ａと第二の配線基板１７ａとを備え、前記第一の配線基板１６ａには外部から信号を受信するための端子部１６１が設けられ、前記第二の配線基板１７ａには前記第一の配線基板１６ａの端子部１６１の近傍に達する延出部１７４ａが設けられるとともに該延出部１７４ａには外部から信号を受信するための端子部１７１が前記第一の配線基板１６ａの前記端子部１６１に近接する位置に設けられる。【選択図】図２
2008129510.tif 000002
【特許請求の範囲】
【請求項１】
画像を表示する表示パネルと、該表示パネルを駆動するドライバＩＣが実装され前記表示パネルに装着される複数の回路基板と、外部からの信号を前記複数の回路基板に分配する複数の配線基板と、を備え、前記複数の配線基板のうちの少なくとも一の配線基板には外部から信号を受信するための端子部が設けられ、少なくとも他の配線基板には前記一の配線基板に設けられる端子部の近傍に達する延出部が設けられるとともに該延出部には外部から信号を受信するための端子部が前記一の配線基板の前記端子部に近接する位置に設けられることを特徴とする液晶表示アセンブリ。
【請求項２】
画像を表示する表示パネルと、該表示パネルを駆動するドライバＩＣが実装され前記表示パネルに装着される複数の回路基板と、外部からの信号を前記複数の回路基板に分配する複数の配線基板と、を備え、前記複数の配線基板は前記表示パネルの一辺に沿って直列的に並べて配設され、前記複数の配線基板のうちの一の配線基板の一端には外部から信号を受信するための端子部が設けられ、前記一の配線基板の前記端子部が設けられる側と反対側の端部側に配設される他の配線基板には前記一の配線基板の前記端子部が設けられる側の端部に達する延出部が設けられるとともに、該延出部の前記一の配線基板に設けられる端子部に近接する位置には外部からの信号を受信するための端子部が設けられることを特徴とする液晶表示アセンブリ。
【請求項３】
画像を表示する表示パネルと、該表示パネルを駆動するドライバＩＣが実装され前記表示パネルに装着される複数の回路基板と、外部からの信号を前記複数の回路基板に分配する複数の配線基板と、を備え、該複数の配線基板は複数の組をなし、一つの組に含まれる複数の配線基板のうちの一の配線基板には外部から信号を受信するための端子部が設けられ、前記一つの組に含まれる他の配線基板には前記一の配線基板に設けられる端子部の近傍に達する延出部が設けられるとともに該延出部には外部から信号を受信するための端子部が前記一の配線基板の前記端子部に近接する位置に設けられることを特徴とする液晶表示アセンブリ。
【請求項４】
画像を表示する表示パネルと、該表示パネルを駆動するドライバＩＣが実装され前記表示パネルに装着される複数の回路基板と、外部からの信号を前記複数の回路基板に分配する複数の配線基板と、を備え、該複数の配線基板は複数の組をなすとともに一つの組に含まれる複数の配線基板は前記表示パネルの一辺に沿って直列的に並べて配設され、前記組に含まれる配線基板のうちの一の配線基板の一端には外部から信号を受信するための端子部が設けられ、前記一の配線基板の前記端子部が設けられる側とは反対側の端部側に配設される他の配線基板には前記一の配線基板の前記端子部が設けられる側の端部に達する延出部が設けられるとともに、該延出部の前記一の配線基板に設けられる端子部に近接する位置には外部からの信号を受信するための端子部が設けられることを特徴とする液晶表示アセンブリ。
【請求項５】
前記配線基板の組を二組備え、一の組の前記一の配線基板および他の配線基板に設けられる前記端子部と、他の一の組の一の配線基板および他の配線基板に設けられる前記端子部とが互いに近接するように略鏡面対称に配設されることを特徴とする請求項１から請求項４のいずれかに記載の液晶表示アセンブリ。
【請求項６】
前記他の配線基板に設けられる延出部は、前記一の配線基板に重畳しないことを特徴とする請求項１から請求項５のいずれかに記載の液晶表示アセンブリ。
【請求項７】
前記回路基板は、前記一の配線基板と前記他の配線基板の同じ側の面に接続されることを特徴とする請求項１から請求項６のいずれかに記載の液晶表示アセンブリ。
【請求項８】
前記他の配線基板に設けられる延出部は、前記一の配線基板に重畳することを特徴とする請求項１から請求項５のいずれかに記載の液晶表示アセンブリ。
【請求項９】
前記一の配線基板に設けられる前記端子部と、前記対の配線基板の前記延出部に設けられる前記端子部とは、前記一の配線基板と前記対の配線基板の延出部の相対向する面とは反対側の面に互いに略背中合わせに設けられることを特徴とする請求項８に記載の液晶表示アセンブリ。
【請求項１０】
前記回路基板は、前記一の配線基板と前記他の配線基板の同じ側の面に接続されることを特徴とする請求項８から請求項１０のいずれかに記載の液晶表示アセンブリ。
【請求項１１】
前記回路基板は、前記一の配線基板と前記他の配線基板の相対向する側の面に接続されることを特徴とする請求項８から請求項１０のいずれかに記載の液晶表示アセンブリ。
【請求項１２】
請求項１から請求項１１のいずれかに記載の液晶表示アセンブリと、該液晶表示アセンブリを制御する制御信号を生成するコントロール回路基板とを備えることを特徴とする表示装置。
【請求項１３】
前記液晶表示アセンブリに設けられる各配線基板が前記コントロール回路基板と電気的接続手段によって直接的に接続されることを特徴とする請求項１２に記載の表示装置。
【発明の詳細な説明】
【技術分野】
【０００１】
本発明は、液晶表示アセンブリおよび表示装置に関するものであり、詳しくは、液晶表示パネルに所定の配線基板や回路基板（フィルム状のものも含む）などが装着されてなる液晶表示アセンブリと、この液晶表示アセンブリが組み込まれる表示装置に関するものである。
【背景技術】
【０００２】
液晶表示装置には、一般的に、液晶表示パネルに所定の配線基板や回路基板（フィルム状のものも含む）などが装着されてなる組立体（この組立体を、「液晶表示アセンブリ」と称する）が組み込まれる。
【０００３】
図１２は、液晶表示アセンブリ９の構成の従来例を、模式的に示した外観斜視図である。図１２に示す液晶表示アセンブリ９は、画像を表示する液晶表示パネル９１と、この液晶表示パネル９１を駆動する信号電極ドライバ９２が実装される所定の数のＴＣＰ（Tape Carrier Package）９３および走査電極ドライバ９４が実装される所定の数のＴＣＰ９５と、信号電極ドライバが実装されるＴＣＰ９２に所定の信号などを分配するプリント配線基板９６と、を備える。そして、液晶表示パネル９１の長辺の所定の位置に信号電極ドライバ９２が実装されるＴＣＰ９３が装着され、短辺の所定の位置に走査電極ドライバ９４が実装されるＴＣＰ９５が装着される。さらに信号電極ドライバ９２が実装される各ＴＣＰ９３は、プリント配線基板９６に接続される。
【０００４】
このプリント配線基板９６は、液晶表示パネル９１の長辺に装着される複数のＴＣＰ９３を接続できるように、細長い略長方形に形成される。そしてその長手方向が液晶表示パネル９１の長辺に略平行になるように配設される。
【０００５】
このような液晶表示アセンブリ９は、表示装置に組み込まれた状態においては、信号電極ドライバ９２および走査電極ドライバ９４を制御する制御信号を生成するコントロール回路基板（図示せず）とプリント配線基板９６とが、ＦＰＣ９７などによって所定の信号などを送受信可能に接続される。そしてコントロール回路基板が生成した制御信号は、プリント配線基板９６を通じて信号電極ドライバ９２が実装されるＴＣＰ９３に分配されるとともに、表示パネル９１に設けられる配線を通じて走査電極ドライバ９４が実装されるＴＣＰ９５に分配される。各ＴＣＰ９３，９５に実装される信号電極ドライバ９２と走査電極ドライバ９４は、分配された制御信号に基づいて液晶表示パネル９１を駆動する。
【０００６】
このような構成においては、プリント配線基板９６を液晶表示パネル９１の長辺の略全長に沿って配設する必要があるから、プリント配線基板９６の長手方向長さは液晶表示パネル９１のサイズに依存する。そして近年の液晶表示パネル９１の大型化に応じて、プリント配線基板９６の長手方向長さを長くする必要が生じている。
【０００７】
ところでこれらのＴＣＰ９３は、一般的には異方性導電膜（図略）を挟んで表示パネル９１とプリント配線基板９６のそれぞれに加熱圧着される。一般的にプリント配線基板９６は液晶表示パネル９１に比較して線膨張係数が高い材料からなるため、ＴＣＰ９３を加熱圧着する際に、加熱による変形量が相違する。そしてプリント配線基板９６の長手方向長さが長くなるにしたがって、この加熱による変形量の差が大きくなる。このため液晶表示パネル９１のサイズが大型化するにしたがって、ＴＣＰ９３の加熱圧着時における位置決め精度の維持が困難となる。
【０００８】
ＴＣＰとプリント配線基板および表示パネルとの位置決め精度の維持を図る構成としては、たとえば線膨張係数が低い（正確には表示パネルの線膨張係数に近い）材料からなるプリント配線基板を用いる構成がある。しかしながら、線膨張係数が低い材料からなるプリント配線基板は、一般的なプリント配線基板に比較して価格が高いため、液晶表示アセンブリの価格上昇を招くおそれがある。
【０００９】
このほかの構成としては、長手方向寸法の短い複数のプリント配線基板を、液晶表示パネルの長辺に沿って直列に配設し、プリント配線基板どうしをＦＰＣ（Flexible Printed Circuit）などによって接続するという構成が用いられることがある（特許文献１参照）。このような構成によれば、各プリント配線基板の変形量を小さくすることができるから、位置決め精度の維持が容易となる。しかしながらこのような構成は、各プリント配線基板に、プリント配線基板どうしを接続するためのＦＰＣコネクタなどを実装する必要がある。このため、プリント配線基板の部品コストの上昇を招くおそれがある。
【００１０】
【特許文献１】特開平１１−７３１２７号公報
【発明の開示】
【発明が解決しようとする課題】
【００１１】
上記実情に鑑み本発明が解決しようとする課題は、部品コストの上昇を招くことなく、ＴＣＰとプリント配線基板との位置決め精度を維持することができる液晶表示アセンブリおよび表示装置を提供することである。
【課題を解決するための手段】
【００１２】
前記課題を解決するため本発明は、まず、画像を表示する表示パネルに、この表示パネルを駆動するドライバＩＣが実装される複数の回路基板が装着され、さらにこれら複数の回路基板の一部ずつが、これら複数の回路基板に信号を分配する複数の配線基板のそれぞれに接続される構成とする。前記複数の配線基板のうちの少なくとも一の配線基板には外部から信号を受信する端子部が設けられ、他の配線基板には前記一の配線基板に設けられる端子部の近傍に達する延出部が設けられる。そしてこの延出部の前記一の配線基板に設けられる端子部に近接する位置に、外部から信号を受信するための端子部が設けられる構成とする。
【００１３】
また、前記複数の配線基板は表示パネルの一辺に沿って略直列的に配設され、前記複数の配線基板のうちの一の配線基板の一端に外部から信号を受信するための端子部が設けられ、前記一の配線基板の前記一端とは反対側の端部側に配設される他の配線基板には、前記一の配線基板の前記端子部が設けられる端部近傍に達する延出部が設けられ、この延出部の前記一の配線基板に設けられる前記端子部に近接する位置に外部から信号を受信するための端子部が設けられる構成としてもよい。
【００１４】
また、外部からの信号を前記複数の回路基板に分配する前記複数の配線基板が複数の組をなし、各組に含まれる複数の前記配線基板のうちの一の配線基板には外部から信号を受信するための端子部が設けられ、他の配線基板には前記一の配線基板に設けられる端子部の近傍に達する延出部が設けられるとともに該延出部には外部から信号を受信するための端子部が前記一の配線基板の前記端子部に近接する位置に設けられる構成としてもよい。
【００１５】
また、前記各組に含まれる前記各配線基板は、表示パネルの一辺に沿って略直列的に配設され、前記各組に含まれる複数の配線基板のうちの一の配線基板の一端に外部から信号を受信するための端子部が設けられ、前記一の配線基板の前記一端とは反対側の端部側に配設される他の配線基板には、前記一の配線基板の前記端子部が設けられる端部近傍に達する延出部が設けられ、この延出部の前記一の配線基板に設けられる前記端子部に近接する位置に外部から信号を受信するための端子部が設けられる構成としてもよい。
【００１６】
そしてたとえば、前記配線基板の組を二組備え、一の組の前記一の配線基板および他の配線基板に設けられる前記端子部と、他の一の組の一の配線基板および他の配線基板に設けられる前記端子部とが互いに近接するように略鏡面対称に配設される構成としてもよい。
【００１７】
なお、前記他の配線基板に設けられる延出部は、前記一の配線基板に重畳しないような形状に形成される構成であってもよい。そしてこの場合において、表示パネルを駆動するドライバＩＣが実装される回路基板は、前記一の配線基板と前記他の配線基板の同じ側の面に接続される構成であることが好ましい。
【００１８】
また、前記他の配線基板に設けられる延出部は、少なくともその一部が前記一の配線基板に重畳する構成であってもよい。そしてこの場合において、表示パネルを駆動するドライバＩＣが実装される回路基板は、前記一の配線基板と前記他の配線基板の同じ側の面に接続される構成であってもよい。また、前記回路基板は、前記一の配線基板と前記他の配線基板の相対向する面にそれぞれ接続される構成であってもよい。
【００１９】
本発明にかかる表示装置は、前記いずれかの液晶表示アセンブリと、この液晶表示アセンブリを制御する制御信号を生成するコントロール回路基板とを備えることを要旨とするものである。ここで、前記液晶表示アセンブリの前記各配線基板は、前記コントロール回路基板と電気的接続手段によってそれぞれ直接的に接続される構成であることが好ましい。
【発明の効果】
【００２０】
本発明によれば、前記一の配線基板および他の配線基板ともに、前記回路基板を接続する部分の長さを短くすることができる。したがって、ＡＣＦを加熱圧着する際の熱による変形量が小さくなるから、位置決め精度の維持が容易となり、高価な低線膨張係数の材料を使用しなくてもよくなる。このため、部品コストの上昇を防止または抑制することができる。また、配線基板どうしを接続する構成と比較すると、配線基板どうしを接続するための端子部の数を少なくできる。したがって、部品コストの上昇を防止または抑制できる。
【００２１】
また、一の組の前記一の配線基板および他の配線基板に設けられる前記端子部と、他の一の組の一の配線基板および他の配線基板に設けられる前記端子部とが互いに近接するように略鏡面対称に配設される構成とすると、各配線基板に設けられる端子部が全て近接する。したがって、外部の基板との接続が容易となる。
【発明を実施するための最良の形態】
【００２２】
以下に、本発明の各種実施形態について、図面を参照して詳細に説明する。なお、本発明における「液晶表示アセンブリ」とは、液晶表示パネルと、この液晶表示パネルを駆動するドライバＩＣ（具体的には、信号電極ドライバまたは走査電極ドライバ）が実装される回路基板（この回路基板には、可撓性を有するフィルム状のものも含まれる）と、この回路基板に所定の制御信号などを分配する配線基板（プリント配線基板）とを備え、液晶表示パネルにドライバＩＣが実装される単数または複数の回路基板が装着されるとともに、この回路基板またはこれらの回路基板に前記配線基板が接続されてなる組立体をいうものとする。
【００２３】
図１は、本発明の第一実施形態にかかる液晶表示アセンブリ１ａの構成を、模式的に示した外観斜視図である。
【００２４】
図１に示すように、本発明の第一実施形態にかかる液晶表示アセンブリ１ａは、液晶表示パネル１１と、信号電極ドライバ１２が実装される複数の回路基板１３（ここでは、可撓性を有するフィルム状のＴＣＰ〔Tape Carrier Package〕）と、走査電極ドライバ１４が実装される複数の回路基板１５（ここでは、可撓性を有するＴＣＰ）と、信号電極ドライバ１２が実装される回路基板１３に接続される二枚の第一のプリント配線基板１６ａおよび二枚の第二のプリント配線基板１７ａと、を備える。
【００２５】
液晶表示パネル１１は、二枚の基板が所定の微小な間隔をおいて相対向して配設され、それらの間に液晶が充填される構成を有する。そして二枚の基板の一方には、複数の絵素電極（図略）と、これらの複数の絵素電極のそれぞれを駆動するスイッチング素子（図略。たとえば薄膜トランジスタ）が、マトリックス状に配列される。なお、この液晶表示パネル１１には、公知の各種アクティブマトリックスタイプの液晶表示パネルが適用できる。したがって、この液晶表示パネル１１の詳細な構成や動作の説明は省略する。
【００２６】
信号電極ドライバ１２が実装される複数の回路基板１３は、それぞれ液晶表示パネル１１の長辺の所定の位置に装着される。たとえば図１に示すように、液晶表示パネル１１の長辺に、所定の間隔をおいて略等間隔に装着される。なお、図１においては、信号電極ドライバ１２が実装される八枚の回路基板１３が、液晶表示パネル１１の長辺の一方に装着される構成を示すが、装着される回路基板１３の数は、液晶表示パネル１１の解像度などに応じて適宜設定されるものであり、図１に示す数に限定されるものではない。また、液晶表示パネル１１の長辺の両方に信号電極ドライバ１２が実装される回路基板１３が装着される構成であってもよい。
【００２７】
走査電極ドライバ１４が実装される複数の回路基板１５は、それぞれ液晶表示パネル１１の短辺の所定の位置に装着される。たとえば図１に示すように、所定の間隔をおいて略等間隔に装着される。図１においては、走査電極ドライバ１４が実装される四枚の回路基板１５が、液晶表示パネル１１の短辺の両方に装着される構成を示すが、装着される回路基板１５の数は、液晶表示パネル１１の解像度などに応じて適宜設定されるものであり、図１に示す構成に限定されるものではない。また、図１に示すように、液晶表示パネル１１の短辺の両方に回路基板１５が装着される構成のほか、短辺の一方にのみ装着される構成であってもよい。
【００２８】
信号電極ドライバ１２が実装される各回路基板１３および走査電極ドライバ１３が実装される回路基板１５は、たとえば異方性導電膜（ＡＣＦ：Anisotropic Conductive Film）によって、液晶表示パネル１１に装着される。
【００２９】
各信号電極ドライバ１２は、分配される制御信号に基づいて、液晶表示パネル１１に設けられるスイッチング素子のソース電極にデータ信号を伝送する。各走査電極ドライバ１４は、分配される制御信号に基づいて、スイッチング素子のゲート電極にゲートパルスを伝送する。なお、信号電極ドライバ１２、信号電極ドライバ１２が実装される回路基板１３、走査電極ドライバ１４、走査電極ドライバ１４が実装される回路基板１５は、従来公知のものが適用できる。したがって、これらの説明は省略する。
【００３０】
各第一のプリント配線基板１６ａと各第二のプリント配線基板１７ａは、外部から伝送される制御信号などを、信号電極ドライバ１２が実装される各回路基板１３に分配する。また、外部から伝送される制御信号を、信号電極ドライバ１２が実装される回路基板１３と液晶表示パネル１１に設けられる所定の配線を通じて、走査電極ドライバ１４が実装される各回路基板１５に分配する。このため、各第一のプリント配線基板１６ａと各第二のプリント配線基板１７ａの所定の位置には、外部から信号を受信するための端子部が設けられる。具体的にはたとえば、所定の位置にＦＰＣコネクタ１６１，１７１が実装される。なお、具体的な端子部としてはＦＰＣコネクタに限定されるものではなく、要は、外部から信号を受信できる構成を有すればよい。したがって公知の各種コネクタ類が適用できる。
【００３１】
第一のプリント配線基板１６ａと第二のプリント配線基板１７ａは、細長い略長方形の形状を有する。そして二枚の第一のプリント配線基板１６ａは、互いに略左右対称の構成を有する。同様に、二枚の第二のプリント配線基板１７ａも、互いに略左右対称の構成を有する。
【００３２】
これら各第一のプリント配線基板１６ａと各第二のプリント配線基板１７ａは、液晶表示パネル１１の信号電極ドライバ１２が実装される回路基板１３が装着される長辺に沿って配設される。具体的には、二枚の第一のプリント配線基板１６ａが、それらの長手方向が液晶表示パネル１１の長辺に略平行で、かつ液晶表示パネル１１の長辺の略中心において互いに隣接するように配設される。そして各第二のプリント配線基板１７ａは、二枚の第一のプリント配線基板１６ａの外側、すなわち液晶表示パネル１１の長辺の両端寄りに、それらの長手方向が液晶表示パネル１１の長辺に略平行に配設される。
【００３３】
なお、図１に示すように、二枚の第一のプリント配線基板１６ａと二枚の第二のプリント配線基板１７ａは、液晶表示パネル１１の中心線Ｌ（詳しくは、液晶表示パネル１１の長辺方向の中心）に対して鏡面対称に配設される。換言すると第一実施形態にかかる液晶表示アセンブリ１ａは、一枚の第一のプリント配線基板１６ａと一枚の第二のプリント配線基板１７ａからなる配線基板の組を二組備え、これら二組の配線基板の組が表示パネル１１の中心線Ｌを略中心として鏡面対称に配設される構成を備える。
【００３４】
このように、本発明の第一実施形態にかかる液晶表示アセンブリ１ａは、液晶表示パネル１１の長辺に沿って、複数の細長い第一のプリント配線基板１６ａと第二のプリント配線基板１７ａ（図１に示す構成においては、二枚の第一のプリント配線基板１６ａと二枚の第二のプリント配線基板１７ａの計四枚の回路基板）が、略直列に配設される構成を備える。
【００３５】
そして、各第一のプリント配線基板１６ａと各第二のプリント配線基板１７ａには、信号電極ドライバ１２が実装される所定の数の回路基板１３が接続される。図１に示す本発明の第一実施形態にかかる液晶表示アセンブリ１ａは、各第一のプリント配線基板１６ａと各第二のプリント配線基板１７ａに、二枚ずつの回路基板１３が接続される構成を備える。各第一のプリント配線基板１６ａおよび各第二のプリント配線基板１７ａと、信号電極ドライバ１２が実装される回路基板１３との接続には、液晶表示パネル１１と信号電極ドライバ１２が実装される回路基板１３および走査電極ドライバ１４が実装される回路基板１５との接続と同様に、異方性導電膜が適用される。
【００３６】
なお、各第一のプリント配線基板１６ａと各第二のプリント配線基板１７ａに接続される信号電極ドライバ１２が実装される回路基板１３の数は、液晶表示パネル１１に装着される回路基板１３の数などに応じて設定されるものであり、二枚に限定されるものではない。
【００３７】
図２は、本発明の第一実施形態にかかる液晶表示アセンブリ１ａの一部を抜き出して示した斜視図であり、一方の第一のプリント配線基板１６ａの構成と、これに隣接する一方の第二のプリント配線基板１７ａの構成と、これらと信号電極ドライバ１２が実装される各回路基板１３との接続構成と、液晶表示パネル１１と回路基板１３との接続構成とを示す（換言すると、一方の配線基板の組の構成を示す）。なお、他方の第一のプリント配線基板１６ａと、これに隣接する他方の第二のプリント配線基板１７ａ（すなわち、他方の配線基板の組）は、左右対称の構成である点を除いてはほぼ同じ構成を有することから、説明は省略する。
【００３８】
図２に示すように、第一のプリント配線基板１６ａの長手方向の一端（具体的には、第一のプリント配線基板１６ａが液晶表示パネル１１の長辺に沿って配設された状態において、液晶表示パネル１１の中心寄りに位置する側の端部。別の表現をすると、他方の第一のプリント配線基板１６ａに近接する側の端部）には、外部からの制御信号を伝送するＦＰＣ（Flexible Printed Circuit）を接続するためのＦＰＣコネクタ１６１が実装される。このＦＰＣコネクタ１６１には、従来一般のものが適用できる。したがって説明は省略する。
【００３９】
さらに、第一のプリント配線基板１６ａの所定の位置には、信号電極ドライバ１２が実装される回路基板１３を接続するための接続ランド１６２が設けられる（実際には各回路基板１３に隠れて見えない）。そして接続ランド１６２どうしの間および接続ランド１６２と第一のプリント配線基板１６ａの長手方向端縁までの間には、接続ランド１６２とほぼ同様の構成を有するダミーランド１６３が設けられる。すなわち、第一のプリント配線基板１６ａの片側表面には、接続ランド１６２とダミーランド１６３とが、その長手方向に沿って略全長にわたって直線状に設けられる。
【００４０】
そして第一のプリント配線基板１６ａには、ＦＰＣコネクタ１６１の各端子と接続ランド１６２とを電気的に接続する所定の配線（図略）が設けられる。したがって、ＦＰＣコネクタ１６１に接続されるＦＰＣを通じて外部から伝送される制御信号は、この第一のプリント配線基板１６ａに設けられる所定の配線を通じて、各接続ランド１６２に接続される信号電極ドライバ１２が実装される回路基板１３に分配される。
【００４１】
第二のプリント配線基板１７ａは延出部１７４ａを有する。この延出部１７４ａは、第二のプリント配線基板１７ａの一端（具体的には、第一のプリント配線基板１６ａとともに液晶表示パネル１１の長辺に沿って配設された状態において、第一のプリント配線基板１６ａに近接する側の端部）から、その長手方向にさらに延出する。そして延出部１７４ａの先端は、第一のプリント配線基板１６ａとともに液晶表示パネル１１の長辺に沿って配設された状態において、第一のプリント配線基板１６ａに実装されるＦＰＣコネクタ１６１に近接する位置に達する。ただし第二のプリント配線基板１７ａの延出部１７４ａは、第一のプリント配線基板１６ａに重畳しないように、第一のプリント配線基板１６ａを避けるような形状に形成される。
【００４２】
そして第二のプリント配線基板１７ａの延出部１７４ａの先端近傍には、外部からの制御信号を伝送するＦＰＣを接続するためのＦＰＣコネクタ１７１が実装される。このＦＰＣコネクタ１７１には、従来一般のものが適用できる。したがって説明は省略する。
【００４３】
さらに、第二のプリント配線基板１７ａの所定の位置には、信号電極ドライバ１２が実装される回路基板１３を接続するための接続ランド１７２が設けられる（実際には回路基板１３に隠れて見えない）。そして接続ランド１７２どうしの間および接続ランド１７２と第二のプリント配線基板１７ａの長手方向端縁までの間には、ダミーランド１７３が設けられる。これらのダミーランド１７３は、接続ランド１７２とほぼ同様の構成を有する。すなわち、第二のプリント配線基板１７ａの片側表面には、接続ランド１７２とダミーランド１７３とが、延出部１７４ａを除くその長手方向の略全長にわたって直線状に設けられる。
【００４４】
このような構成の第一のプリント配線基板１６ａと第二のプリント配線基板１７ａとが、液晶表示パネル１１の長辺に沿って並べて配設されると、第一のプリント配線基板１６ａに実装されるＦＰＣコネクタ１６１と、第二のプリント配線基板１７ａに実装されるＦＰＣコネクタ１７１とが、液晶表示パネル１１の長辺の略中心に位置し、かつ互いに近接する。
【００４５】
さらに、二枚の第一のプリント配線基板１６ａと二枚の第二のプリント配線基板１７ａは、それぞれ互いに略左右対称の構成を有し、液晶表示パネル１１の中心線Ｌに対して鏡面対称に配設される。したがって、他方の第一のプリント配線基板１６ａに実装されるＦＰＣコネクタ１６１と、他方の第二のプリント配線基板１７ａに実装されるＦＰＣコネクタ１７１も、液晶表示パネル１１の長辺の中心近傍に位置し、かつ互いに近接する。
【００４６】
したがって、全体として、二枚の第一のプリント配線基板１６ａのそれぞれに実装されるＦＰＣコネクタ１６１と、二枚の第二のプリント配線基板１７ａのそれぞれに実装されるＦＰＣコネクタ１７１とが、液晶表示パネル１１の長辺の略中心に位置して互いに近接するとともに、直列的に並ぶ。
【００４７】
このような構成であると、第一のプリント配線基板１６ａおよび第二のプリント配線基板１７ａともに、回路基板１３を接続する部分の長手方向長さを短くすることができる。したがって、ＡＣＦを加熱圧着する際の熱による変形量が小さくなるから、位置決め精度の維持が容易となり、高価な低線膨張係数の材料を使用しなくてもよくなる。このため、部品コストの上昇を防止または抑制することができる。また、プリント配線基板どうしを接続する構成と比較すると、端子部の数（すなわち実装するＦＰＣコネクタ１６１，１７１の数）を少なくできる。したがって、部品コストの上昇を防止または抑制できる。
【００４８】
次に、本発明の第一実施形態にかかる表示装置、すなわち本発明の第一実施形態にかかる液晶表示アセンブリ１ａを備える表示装置について説明する。
【００４９】
本発明の第一実施形態にかかる表示装置は、表示装置用の光源装置に、本発明の第一実施形態にかかる液晶表示アセンブリ１ａおよびその他の所定の部材が組み付けられる構成を備える。そこでまず、表示装置用の光源装置について説明する。
【００５０】
図３は、本発明の第一実施形態にかかる表示装置に適用できる表示装置用の光源装置５の要部の構成を、模式的に示した分解斜視図である。説明の便宜上、図３中の上方を、この表示装置用の光源装置５およびこの表示装置用の光源装置５を構成する各部材の「前面側」と称し、下方を「背面側」と称する。
【００５１】
この表示装置用の光源装置５は、シャーシ５１と、反射シート５２と、光源５３と、光学シート類５５と、サイドホルダ５４と、フレーム５６と、光源駆動回路基板５７と、光源駆動回路基板カバー５８とを備える。これらの各部材は、従来公知の構成のものが適用できる。従って以下簡単に説明し、詳細な説明は省略する。
【００５２】
シャーシ５１は、底の浅いトレイ状の部材である。たとえば金属の板材などからなり、プレス加工などを用いて形成される。光源５３には、従来公知の各種光源が適用できる。具体的にはたとえば、熱陰極管や冷陰極管などの蛍光管、キセノン管などの放電管、ＬＥＤ（発光ダイオード）などの発光素子などが適用できる。図３においては、光源５３として直線状の管体を有する蛍光管が適用される構成を示すが、本発明は図３に示す構成に限定されるものではなく、前記のとおり各種の光源が適用できる。
【００５３】
反射シート５２は、光源５３が発する光を乱反射させることができる表面性状を有するシート状の部材または板状の部材である。この反射シート５２は、たとえば発泡ＰＥＴ（ポリエチレンテレフタレート）などにより形成される。
【００５４】
光学シート類５５は、第一実施形態にかかる液晶表示アセンブリ１ａの液晶表示パネル１１に入射する光の特性を調整する板状の部材もしくはシート状の部材、またはこのような部材の総称である。具体的に光学シート類５５には、通過する光を拡散する機能を有する拡散板や拡散シート、所定の向きの偏光を通過させ、それ以外の向きの偏光を反射する偏光反射シート、集光機能を有するレンズシートなどが含まれる。そして一般的には、これらの光学シート類５５が、所定の順序で積み重ねられるように配設される。
【００５５】
サイドホルダ５４は、光学シート類５５を配設するためのスペーサなどとして機能する部材である。サイドホルダ５４は略棒状に形成される部材であり、たとえば樹脂材料などにより一体的に形成される。
【００５６】
フレーム５６は、表示パネルを保持および／または保護する機能を有する部材である。このフレーム５６は、開口した略四辺形の額縁状の形状を有する。そして各辺の外周側には、背面側に向かって衝立状に起立する側壁５６１が設けられる。従ってこのフレーム５６の各辺は、略「Ｌ」字形状の断面形状を有する。このフレーム５６は、たとえば金属の板材などからなりプレス加工などを用いて一体的に形成される構成、プレス加工などを用いて形成された部品が組み合わされた構成、樹脂材料などからなり一体的に形成される構成、または樹脂材料などからなる部品が組み合わされる構成が適用できる。
【００５７】
光源駆動回路基板５７は、光源５３を駆動するための電子回路や電気回路が構築される回路基板である。たとえば光源５３として蛍光管が適用される場合には、光源駆動回路基板５７には、パルス電圧を生成するインバータ回路などが構築される。光源駆動回路基板カバー５８は、光源駆動回路基板５７を覆う底の浅いトレイ状の部材または板状の部材である。この光源駆動回路基板カバー５８は、たとえば金属の板材といった導体からなり、プレス加工などによって形成される。
【００５８】
このような部材を備える光源装置５の組み付け構造は、次のとおりである。
【００５９】
シャーシ５１の前面側には反射シート５２が配設され、さらにその前面側には複数の光源５３が並べて配設される。そしてシャーシ５１の各短辺には、各光源５３の端部を覆うようにサイドホルダ５４が装着される。サイドホルダ５４およびシャーシ５１の側壁の前面には、所定の光学シート類５５が所定の順序で積み重ねられるように配設される。具体的にはたとえば、背面側から順に、拡散板、拡散シート、偏光反射シートまたはレンズシート、拡散シートが積み重ねられるように配設される。そしてその前面側からはフレーム５６が装着され、シャーシ５１に固定される。
【００６０】
シャーシ５１の背面側には光源駆動回路基板５７が配設される。そして各光源５３から引き出されるハーネスが、この光源駆動回路基板５７に接続される。さらにこの光源駆動回路基板５７を覆うように、光源駆動回路基板カバー５８がシャーシ５１の背面側に装着される。
【００６１】
以上が、表示装置用の光源装置５の構成である。次に、本発明の第一実施形態にかかる表示装置、すなわち、本発明の第一実施形態にかかる液晶表示アセンブリ１ａとこの表示装置用の光源装置５を備える表示装置について説明する。図４は、本発明の第一実施形態にかかる表示装置６ａの要部の構成を、模式的に示した分解斜視図である。
【００６２】
図４に示すように、本発明の第一実施形態にかかる表示装置６ａは、本発明の第一実施形態にかかる液晶表示アセンブリ１ａと、前記表示装置用の光源装置５と、ベゼル６１と、コントロール回路基板６２と、コントロール回路基板カバー６３と、コントロール回路基板６２と第一のプリント配線基板１６ａとを接続する電気的接続手段（たとえばＦＰＣ。以下、単に「ＦＰＣ」と称する）６４および第二のプリント配線基板１７ａとを接続する電気的接続手段（たとえばＦＰＣ。以下、単に「ＦＰＣ」と称する）６５と、その他の所定の部材（図略）とを備える。
【００６３】
ベゼル６１、コントロール回路基板６２、コントロール回路基板カバー６３には、従来一般の構成を有するものが適用できる。したがって以下簡単に説明し、詳細な説明は省略する。また、本発明の第一実施形態にかかる液晶表示アセンブリ１ａおよび表示装置用の光源装置５の構成は前記のとおりである。
【００６４】
ベゼル６１は、液晶表示パネル１１を保持および／または保護する機能を有する部材である。このベゼル６１は、開口した略四辺形の額縁状の形状を有する。そして各辺の外周側には、背面側に向かって衝立状に起立する側壁６１１が設けられる。したがってベゼル６１の各辺は、略「Ｌ」字状の断面形状を有する。このベゼル６１は、たとえば金属の板材などからなりプレス加工などを用いて一体的に形成される構成、プレス加工などを用いて形成される部品が組み合わされる構成、樹脂材料などからなり一体的に形成される構成、または樹脂材料などからなる部品が組み合わされる構成などが適用される。
【００６５】
コントロール回路基板６２は、本発明の第一実施形態にかかる液晶表示アセンブリ１ａの回路基板１３，１５に実装されるドライバＩＣ（信号電極ドライバ１２と走査電極ドライバ１４のそれぞれ）を制御する制御信号を、外部（たとえばチューナなど）からの入力に基づいて生成する電子回路および／または電気回路が構築される回路基板である。
【００６６】
このコントロール回路基板６２には、生成した制御信号を一実施形態にかかる液晶表示アセンブリ１ａの各第一のプリント配線基板１６ａに伝送するためのＦＰＣ６４を接続できる二個のＦＰＣコネクタ６２１と、各第二のプリント配線基板１７ａに伝送するためのＦＰＣ６５を接続することができる二個のＦＰＣコネクタ６２２が実装される。
【００６７】
コントロール回路基板カバー６３は、コントロール回路基板６２を覆う底の浅いトレイ状または板状の部材である。このコントロール回路基板カバー６３は、たとえば金属の板材などの導体などからなり、プレス加工などによって形成される。
【００６８】
このような部材を備える本発明の第一実施形態にかかる表示装置６ａの組み付け構造は次のとおりである。
【００６９】
光源装置５のフレーム５６の前面側に、本発明の第一実施形態にかかる液晶表示アセンブリ１ａの液晶表示パネル１１が配設される。そして第一のプリント配線基板１６ａと第二のプリント配線基板１７ａとは、フレーム５６の側壁５６１の外周面に配設されて固定される。信号電極ドライバ１２が実装される回路基板１３（すなわちＴＣＰ）は可撓性を有するから、この回路基板１３を背面側に曲げ起こされることによって、第一のプリント配線基板１６ａと第二のプリント配線基板１７ａとが、フレーム５６の側壁５６１の外周面上に配設できる。
【００７０】
そしてその前面側からベゼル６１が装着される。このため液晶表示パネル１１は、光源装置５のフレーム５６とベゼル６１とによって挟持される。また、第一のプリント配線基板１６ａと第二のプリント配線基板１７ａとは、フレーム５６の側壁５６１の外周面とベゼル６１の側壁６１１の内周面との間に配設されることになる。
【００７１】
コントロール回路基板６２は光源装置５のシャーシ５１の背面側に配設される。そして、コントロール回路基板６２に実装される各ＦＰＣコネクタ６２１，６２２のうちの所定のものと、液晶表示アセンブリ１ａの第一のプリント配線基板１６ａおよび第二のプリント配線基板１７ａに実装されるＦＰＣコネクタ１６１，１７１のうちの所定のものとが、ＦＰＣ６４，６５によって直接的に電気的に接続される。このため、コントロール回路基板６２において生成された制御信号は、各ＦＰＣ６４，６５を通じて各第一のプリント配線基板１６ａと各第二のプリント配線基板１７ａとに伝送できる。さらにこのコントロール回路基板６２を覆うように、コントロール回路基板カバー６３がシャーシ５１の背面側に装着される。
【００７２】
次に、本発明の第二実施形態にかかる液晶表示アセンブリについて説明する。図５は、本発明の第二実施形態にかかる液晶表示アセンブリ１ｂの構成を、模式的に示した外観斜視図である。
【００７３】
図５に示すように、本発明の第二実施形態にかかる液晶表示アセンブリ１ｂは、液晶表示パネル１１と、信号電極ドライバ１２が実装される複数の回路基板１３（ここでは、可撓性を有するフィルム状のＴＣＰ）と、走査電極ドライバ１４が実装される複数の回路基板１５（ここでは可撓性を有するＴＣＰ）と、信号電極ドライバ１２が実装される回路基板１３が接続される二枚の第三のプリント配線基板１６ｂおよび二枚の第四のプリント配線基板１７ｂとを備える。
【００７４】
液晶表示パネル１１、信号電極ドライバ１２、信号電極ドライバ１２が実装される回路基板１３、走査電極ドライバ１４および走査電極ドライバ１４が実装される回路基板１５には、本発明の第一実施形態にかかる液晶表示アセンブリ１ａに適用されるものと同じ構成のものが適用できる。したがって同じ符号を付して示し説明は省略する。信号電極ドライバ１２が実装される回路基板１３が液晶表示パネル１１の長辺の所定の位置に装着される構成、および走査電極ドライバ１４が液晶表示パネル１１の短辺の所定の位置に装着される構成も、本発明の第一実施形態にかかる液晶表示アセンブリ１ａと同様である。
【００７５】
各第三のプリント配線基板１６ｂと各第四のプリント配線基板１７ｂは、外部から伝送される制御信号などを、信号電極ドライバ１２が実装される各回路基板１３に分配する。また、外部から伝送される制御信号を、信号電極ドライバ１２が実装される回路基板１３と液晶表示パネル１１に設けられる所定の配線を通じて、走査電極ドライバ１４が実装される各回路基板１５に分配する。
【００７６】
第三のプリント配線基板１６ｂと第四のプリント配線基板１７ｂは、細長い略長方形の形状を有する。そして二枚の第三のプリント配線基板１６ｂは、互いに略左右対称の構成を有する。同様に二枚の第四のプリント配線基板１７ｂも、互いに略左右対称の構成を有する。
【００７７】
各第三のプリント配線基板１６ｂと各第四のプリント配線基板１７ｂは、液晶表示パネル１１の信号電極ドライバ１２が実装される回路基板１３が装着される長辺に沿って配設される。具体的には、二枚の第三のプリント配線基板１６ｂが、それらの長手方向が液晶表示パネル１１の長辺に略平行で、かつ液晶表示パネル１１の長辺の略中心において互いに隣接するように配設される。各第四のプリント配線基板１７ｂは、それらの長手方向が液晶表示パネル１１の長辺に略平行で、かつ液晶表示パネル１１の長辺の中心寄りの領域１７４ｂ（以下、延出部１７４ｂと称することがある）が第三のプリント配線基板１６ｂに重畳するように配設される。
【００７８】
なお、図５に示すように、二枚の第三のプリント配線基板１６ｂと二枚の第四のプリント配線基板１７ｂは、液晶表示パネル１１の中心線Ｌ（詳しくは、液晶表示パネル１１の長辺方向の中心）に対して鏡面対称に配設される。
【００７９】
そして、各第三のプリント配線基板１６ｂと各第四のプリント配線基板１７ｂには、信号電極ドライバ１２が実装される所定の数の回路基板１３が接続される。図５に示す本発明の第二実施形態にかかる液晶表示アセンブリ１ｂは、各第三のプリント配線基板１６ｂと各第四のプリント配線基板１７ｂに、二枚ずつの回路基板１３が接続される構成を有する。各回路基板１３と各第三のプリント配線基板１６ｂおよび各第四のプリント配線基板１７ｂとの接続には、液晶表示パネル１１との接続と同様に、たとえば異方性導電膜が適用される。
【００８０】
なお、各第三のプリント配線基板１６ｂと各第四のプリント配線基板１７ｂに接続される回路基板１３の数は、液晶表示パネル１１に装着される回路基板１３の数などに応じて設定されるものであり、二枚に限定されるものではない。
【００８１】
図６は、本発明の第二実施形態にかかる液晶表示アセンブリ１ｂの一部を抜き出して示した斜視図であり、一方の第三のプリント配線基板１６ｂの構成と、一方の第四のプリント配線基板１７ｂの構成と、これらと信号電極ドライバ１２が実装される各回路基板１３との接続構造と、液晶表示パネル１１と回路基板１３との接続構造とを示す（換言すると、配線基板の組の一方の構成を示す）。なお、他方の第三のプリント配線基板１６ｂおよび他方の第四のプリント配線基板１７ｂ（すなわち、他方の配線基板の組）は、左右対称である点を除いてはほぼ同じ構成を有することから、説明は省略する。
【００８２】
図６に示すように、第三のプリント配線基板１６ｂの長手方向の一端（具体的には、二枚の第三のプリント配線基板１６ｂが液晶表示パネル１１の長辺に沿って配設された状態において、液晶表示パネル１１の中心寄りに位置する側の端部。別の表現をすると、他方の第三のプリント配線基板１６ｂに近接する側の端部）には、外部から制御信号を伝送するＦＰＣを接続するためのＦＰＣコネクタ１６１が実装される。このＦＰＣコネクタ１６１には、従来一般のものが適用できる。したがって説明は省略する。
【００８３】
さらに、第三のプリント配線基板１６ｂの所定の位置には、信号電極ドライバ１２が実装される各回路基板１３を接続するための接続ランド１６２と、ダミーランド１６３とが設けられる。さらにＦＰＣコネクタ１６１と各接続ランド１６２とを電気的に接続する所定の配線（図略）が設けられる。これらの接続ランド１６２、ダミーランド１６３および配線の構成は、第一のプリント配線基板１６ａと同じ構成が適用できる。したがって説明は省略する。
【００８４】
第四のプリント配線基板１７ｂは延出部１７４ｂを有する。この延出部１７４ｂは、第四のプリント配線基板１７ｂの一端（具体的には、第三のプリント配線基板１６ｂとともに液晶表示パネル１１の長辺に沿って配設された状態において、第三のプリント配線基板１６ｂに近接する側の端部）から、その長手方向にさらに延出する。そしてこの延出部１７４ｂは、第三のプリント配線基板１６ｂに重畳する。延出部１７４ｂの先端は、第三のプリント配線基板１６ｂとともに液晶表示パネル１１の長辺に沿って配設された状態において、第三のプリント配線基板１６ｂの液晶表示パネル１１の長辺の中心寄りの端部に達する。
【００８５】
換言すると第四のプリント配線基板１７ｂは、その長手方向寸法が液晶表示パネル１１の長辺の略二分の一程度に設定される。そして液晶表示パネル１１の長辺の端部寄りの略半分の領域の所定の位置に、接続ランド１７２が設けられる。また、液晶表示パネル１１の長辺の中心寄りの略半分の領域は、第三のプリント配線基板１６ｂに重畳する。
【００８６】
第三のプリント配線基板１６ｂと第四のプリント配線基板１７ｂの接続ランド１６２，１７２およびダミーランド１６３，１７３は、液晶表示パネル１１の長辺に沿って配設された状態において、同じ側の面に設けられる。図６においては、それぞれ上側を向く面に設けられる構成を示す。すなわち、具体的には、第三のプリント配線基板１６ｂの接続ランド１６２およびダミーランド１６３は、第四のプリント配線基板１７ｂに対向する側の面とは反対側の面に設けられる。第四のプリント配線基板１７ｂの接続ランド１７２およびダミーランド１７３は、第三のプリント配線基板１６ｂに重畳する側の面に設けられる。
【００８７】
このような構成によれば、第三のプリント配線基板１６ｂと第四のプリント配線基板１７ｂともに、信号電極ドライバ１２が実装される回路基板１３を同じ側から接続することができる。したがって、第三のプリント配線基板１６ｂと第四のプリント配線基板１７ｂに信号電極ドライバ１２が実装される回路基板１３を接続する作業が容易となる。
【００８８】
第四のプリント配線基板１７ｂの延出部１７４ｂの先端近傍には、外部からの制御信号を伝送するＦＰＣ６５を接続するためのＦＰＣコネクタ１７１が実装される。具体的には図６に示すように、第三のプリント配線基板１６ｂが重畳する面とは反対側の面であって、かつ第三のプリント配線基板１６ｂに実装されるＦＰＣコネクタ１６１に背中合わせとなる位置に実装される。このＦＰＣコネクタ１７１には、従来一般のものが適用できる。従って説明は省略する。
【００８９】
このような構成の第三のプリント配線基板１６ｂと第四のプリント配線基板１７ｂとが、液晶表示パネル１１の長辺に沿って並べて配設されると、第三のプリント配線基板１６ｂに実装されるＦＰＣコネクタ１６１と、第四のプリント配線基板１７ｂに実装されるＦＰＣコネクタ１７１とが、液晶表示パネル１１の長辺の略中心において背中合わせになる。
【００９０】
さらに、二枚の第三のプリント配線基板１６ｂと二枚の第四のプリント配線基板１７ｂは、それぞれ略左右対称の構成を有し、液晶表示パネル１１の中心線Ｌに対して鏡面対称に配設される。したがって、他方の第三のプリント配線基板１６ｂに実装されるＦＰＣコネクタ１６１と、他方の第四のプリント配線基板１７ｂに実装されるＦＰＣコネクタ１７１も、液晶表示パネル１１の略中心において背中合わせとなる。すなわち各配線基板の組の各プリント配線基板に実装されるＦＰＣコネクタ１６１，１７１が、液晶表示パネル１１の略中心に集中する。
【００９１】
そして、二枚の第三のプリント配線基板１６ｂのそれぞれに実装されるＦＰＣコネクタ１６１が、液晶表示パネル１１の長辺の略中心において近接するとともに、二枚の第四のプリント配線基板１７ｂのそれぞれに実装されるＦＰＣコネクタ１７１も、液晶表示パネル１１の長辺の略中心において近接する。
【００９２】
このような構成であると、前記第一実施形態にかかる液晶表示アセンブリ１ａと同様の作用効果を奏することができる。
【００９３】
次に、本発明の第二実施形態にかかる表示装置、すなわち本発明の第二実施形態にかかる液晶表示アセンブリ１ｂを備える表示装置について説明する。なお、第二実施形態にかかる表示装置は、第三のプリント配線基板１６ｂと第四のプリント配線基板１７ｂの配設構造を除いては、第一実施形態にかかる表示装置６ａとほぼ同様の構成を有する。したがって、共通する構成の部分については第一実施形態にかかる表示装置６ａと同じ符号を付し、説明は省略する。
【００９４】
図７は、本発明の第二実施形態にかかる表示装置６ｂから、液晶表示アセンブリ１ｂとフレーム５６とベゼル６１とを抜き出して示した断面模式図である。なお説明の便宜上、図７中の上方を第二実施形態にかかる表示装置６ｂ、第二実施形態にかかる表示装置６ｂに組み込まれる光源装置５、および第二実施形態にかかる表示装置６ｂ並びに光源装置５を構成する各部材の「前面側」と称し、下方を「背面側」と称する。
【００９５】
光源装置５のフレーム５６の前面側に、本発明の第二実施形態にかかる液晶表示アセンブリ１ｂの液晶表示パネル１１が配設される。そして第三のプリント配線基板１６ｂと第四のプリント配線基板１７ｂとは、フレーム５６の側壁５６１の外周面に配設されて固定される。具体的には、フレーム５６の側壁５６１の外周面上に第四のプリント配線基板１７ｂが配設され、さらにその外側に、第三のプリント配線基板１６ｂが配設される。したがって、第三のプリント配線基板１６ｂと第四のプリント配線基板１７ｂは、フレーム５６の側壁５６１の外周面と、ベゼル６１の側壁６１１の内周面との間に配設されることになる。
【００９６】
なお、第三のプリント配線基板１６ｂと第四のプリント配線基板１７ｂとは、ネジなどによってあらかじめ一体的に結合され、その状態でフレーム５６の側壁５６１の外周面上に配設される構成であってもよい。
【００９７】
そして、シャーシ５１の背面側に装着されるコントロール回路基板６２と、第三のプリント配線基板１６ｂおよび第四のプリント配線基板１７ｂとが、ＦＰＣ６４，６５によって直接的に電気的に接続される。
【００９８】
これ以外の構成は、第一実施形態にかかる表示装置６ａと同じであることから説明は省略する。
【００９９】
次に、本発明の第三実施形態にかかる液晶表示アセンブリについて説明する。なお、本発明の第三実施形態にかかる液晶表示アセンブリは、第二実施形態にかかる液晶表示アセンブリ１ｂの構成と比較すると、主に信号電極ドライバ１２が実装される回路基板１３とプリント配線基板との接続構成が異なり、他はほぼ同じ構成を備える。したがって、第二実施形態と異なる構成について主に説明する。また、共通の構成の部分については第二実施形態にかかる液晶表示アセンブリ１ｂと同じ符号を付し、説明は省略する。
【０１００】
図８は、本発明の第三実施形態にかかる液晶表示アセンブリ１ｃの構成を、模式的に示した外観斜視図である。
【０１０１】
図８に示すように、本発明の第三実施形態にかかる液晶表示アセンブリ１ｃは、液晶表示パネル１１と、信号電極ドライバ１２が実装される複数の回路基板１３（ここでは、可撓性を有するフィルム状のＴＣＰ）と、走査電極ドライバ１４が実装される複数の回路基板１５（ここでは可撓性を有するＴＣＰ）と、信号電極ドライバ１２が実装される回路基板１３が接続される二枚の第五のプリント配線基板１６ｃおよび二枚の第六のプリント配線基板１７ｃとを備える。
【０１０２】
液晶表示パネル１１、信号電極ドライバ１２、信号電極ドライバ１２が実装される回路基板１３、走査電極ドライバ１４および走査電極ドライバ１４が実装される回路基板１５には、本発明の第二実施形態にかかる液晶表示アセンブリ１ｂに適用されるものと同じ構成のものが適用できる。したがって説明は省略する。そして、信号電極ドライバ１２が実装される回路基板１３が液晶表示パネル１１の長辺の所定の位置に装着される構成、および走査電極ドライバ１４が実装される回路基板１５が液晶表示パネル１１の短辺の所定の位置に装着される構成も、本発明の第二実施形態にかかる液晶表示アセンブリ１ｂと同様である。
【０１０３】
第五のプリント配線基板１６ｃと第六のプリント配線基板１７ｃは、細長い略長方形の形状を有する。そして二枚の第五のプリント配線基板１６ｃは、互いに略左右対称の構成を有する。同様に二枚の第六のプリント配線基板１７ｃも、互いに略左右対称の構成を有する。
【０１０４】
各第五のプリント配線基板１６ｃと各第六のプリント配線基板１７ｃは、液晶表示パネル１１の信号電極ドライバ１２が実装される回路基板１３が装着される長辺に沿って配設される。具体的には、二枚の第五のプリント配線基板１６ｃが、それらの長手方向が液晶表示パネル１１の長辺に略平行で、かつ液晶表示パネル１１の長辺の略中心において互いに隣接するように配設される。各第六のプリント配線基板１７ｃは、それらの長手方向が液晶表示パネル１１の長辺に略平行で、かつ液晶表示パネル１１の長辺の中心寄りの領域１７４ｃ（以下、延出部１７４ｃと称することがある）が第五のプリント配線基板１６ｃに重畳するように配設される。
【０１０５】
そして、図８に示すように、二枚の第五のプリント配線基板１６ｃと二枚の第六のプリント配線基板１７ｃは、液晶表示パネル１１の中心線Ｌ（詳しくは、液晶表示パネルの長辺方向の中心）に対して鏡面対称に配設される。
【０１０６】
そして、各第五のプリント配線基板１６ｃと各第六のプリント配線基板１７ｃには、信号電極ドライバ１２が実装される所定の数の回路基板１３が接続される。図８に示す本発明の第三実施形態にかかる液晶表示アセンブリ１ｃは、各第五のプリント配線基板１６ｃと各第六のプリント配線基板１７ｃに、二枚ずつの回路基板１３が接続される構成を有する。各回路基板１３と各第五のプリント配線基板１６ｃおよび各第六のプリント配線基板１７ｃとの接続には、液晶表示パネル１１との接続と同様に、たとえば異方性導電膜が適用される。
【０１０７】
なお、各第五のプリント配線基板１６ｃと各第六のプリント配線基板１７ｃに接続される回路基板１３の数は、液晶表示パネル１１に装着される回路基板１３の数などに応じて設定されるものであり、二枚に限定されるものではない。
【０１０８】
図９は、本発明の第三実施形態にかかる液晶表示アセンブリ１ｃの一部を抜き出して示した斜視図であり、一方の第五のプリント配線基板１６ｃの構成と、一方の第六のプリント配線基板１７ｃの構成と、これらと信号電極ドライバ１２が実装される各回路基板１３との接続構造と、液晶表示パネル１１と回路基板１３との接続構造とを示す（換言すると、一方の配線基板の組の構成を示す）。なお、第五のプリント配線基板１６ｃと信号電極ドライバ１２が実装される各回路基板１３との接続状態を分かり易く示すため、第五のプリント配線基板１６ｃを矢印Ａの向きに裏返して示した状態を示す。また、第五のプリント配線基板１６ｃを第六のプリント配線基板１７ｃに重畳させた状態を、破線で示す。
【０１０９】
なお、他方の第五のプリント配線基板１６ｃおよび他方の第六のプリント配線基板１７ｃ（すなわち、他方の配線基板の組）は、左右対称である点を除いてはほぼ同じ構成を有することから、説明は省略する。
【０１１０】
図９に示すように、第五のプリント配線基板１６ｃの長手方向の一端（具体的には、二枚の第五のプリント配線基板１６ｃが液晶表示パネル１１の長辺に沿って配設された状態において、液晶表示パネル１１の中心寄りに位置する側の端部。別の表現をすると、他方の第五のプリント配線基板１６ｃに近接する側の端部）には、外部から制御信号を伝送するＦＰＣ６４を接続するためのＦＰＣコネクタ１６１が実装される。
【０１１１】
第五のプリント配線基板１６ｃの面のうち第六のプリント配線基板１７ｃに対向する側の面の所定の位置には、信号電極ドライバ１２が実装される各回路基板１３を接続するための接続ランド１６２と、ダミーランド１６３とが設けられる。さらにＦＰＣコネクタ１６１と各接続ランド１６２とを電気的に接続する所定の配線（図略）が設けられる。これらの接続ランド１６２、ダミーランド１６３および配線の構成は、設けられる面が異なる点を除いては、第三のプリント配線基板１６ｂと同じ構成が適用できる。したがって説明は省略する。
【０１１２】
第六のプリント配線基板１７ｃは延出部１７４ｃを有する。この延出部１７４ｃは、第六のプリント配線基板１７ｃの一端（具体的には、第五のプリント配線基板１６ｃとともに液晶表示パネル１１の長辺に沿って配設された状態において、第五のプリント配線基板１６ｃに近接する側の端部）から、その長手方向にさらに延出する。そしてこの延出部１７４ｃは、第五のプリント配線基板１６ｃに重畳する。延出部１７４ｃの先端は、第五のプリント配線基板１６ｃとともに液晶表示パネル１１の長辺に沿って配設された状態において、第五のプリント配線基板１６ｃの液晶表示パネル１１の長辺の中心寄りの端部に達する。
【０１１３】
換言すると第六のプリント配線基板１７ｃは、その長手方向長さが液晶表示パネル１１の長辺の略二分の一程度に設定される。そして、第五のプリント配線基板１６ｃに対向する側の面のうち、液晶表示パネル１１の長辺の端部寄りの略半分の領域の所定の位置に、接続ランド１７２が設けられる。また、液晶表示パネル１１の長辺の中心寄りの略半分の領域は、第五のプリント配線基板１６ｃに重畳する。
【０１１４】
第六のプリント配線基板１７ｃの延出部１７４ｃの先端近傍には、外部からの制御信号を伝送するＦＰＣ６５を接続するためのＦＰＣコネクタ１７１が実装される。具体的には図９に示すように、第五のプリント配線基板１６ｃと重畳する面とは反対側の面であって、かつ第五のプリント配線基板１６ｃに実装されるＦＰＣコネクタ１６１に背中合わせとなる位置に実装される。このＦＰＣコネクタ１７１には、従来一般のものが適用できる。従って説明は省略する。
【０１１５】
このような構成の第五のプリント配線基板１６ｃと第六のプリント配線基板１７ｃとが、液晶表示パネル１１の長辺に沿って並べて配設されると、第五のプリント配線基板１６ｃの信号電極ドライバ１２が実装される回路基板１３が装着される面と、第六のプリント配線基板１７ｃの信号電極ドライバ１２が実装される回路基板１３が装着される面とが対向する。さらに、第五のプリント配線基板１６ｃに実装されるＦＰＣコネクタ１６１と、第六のプリント配線基板１７ｃに実装されるＦＰＣコネクタ１７１とが、液晶表示パネル１１の長辺の略中心において背中合わせに位置する。
【０１１６】
さらに、二枚の第五のプリント配線基板１６ｃと二枚の第六のプリント配線基板１７ｃは、それぞれ略左右対称の構成を有し、液晶表示パネル１１の中心線Ｌに対して鏡面対称に配設される。このため、他方の第五のプリント配線基板１６ｃに実装されるＦＰＣコネクタ１６１と、他方の第六のプリント配線基板１７ｃに実装されるＦＰＣコネクタ１７１も、液晶表示パネル１１の略中心において背中合わせに位置する。
【０１１７】
したがって、二枚の第五のプリント配線基板１６ｃのそれぞれに実装されるＦＰＣコネクタ１６１と、二枚の第六のプリント配線基板１７ｃのそれぞれに実装されるＦＰＣコネクタ１７１が、液晶表示パネル１１の長辺の略中心に集中する。
【０１１８】
このような構成であると、前記第一実施形態にかかる液晶表示アセンブリ１ａまたは第二実施形態にかかる液晶表示アセンブリ１ｂと同様の作用効果を奏することができる。
【０１１９】
次に、本発明の第三実施形態にかかる表示装置、すなわち本発明の第三実施形態にかかる液晶表示アセンブリ１ｃを備える表示装置について説明する。なお、第三実施形態にかかる表示装置は、第二実施形態にかかる表示装置と比較すると、主に信号電極ドライバが実装される回路基板の状態が異なり、それ以外はほぼ同じ構成を備える。したがって、共通する構成の部分については第二実施形態にかかる表示装置と同じ符号を付し、説明は省略する。
【０１２０】
図１０は、本発明の第三実施形態にかかる表示装置６ｃから、第三実施形態にかかる液晶表示アセンブリ１ｃと、フレーム５６と、ベゼル６１とを抜き出して示した断面模式図である。なお説明の便宜上、図１０中の上方を、第三実施形態にかかる表示装置６ｃ、第三実施形態にかかる表示装置６ｃに組み込まれる光源装置５、および第三実施形態にかかる表示装置６ｃ並びに光源装置５を構成する各部材の「前面側」と称し、下方を「背面側」と称する。
【０１２１】
第三実施形態にかかる液晶表示アセンブリ１ｃを除く部材は、第二実施形態にかかる表示装置６ｂと同じ構成のものが適用できる。したがって説明は省略する。
【０１２２】
光源装置５のフレーム５６の前面側に、本発明の第三実施形態にかかる液晶表示アセンブリ１ｃの液晶表示パネル１１が配設される。そして第五のプリント配線基板１６ｃと第六のプリント配線基板１７ｃとは、フレーム５６の側壁５６１の外周面に配設されて固定される。具体的には、フレーム５６の側壁５６１の外周面上に第五のプリント配線基板１６ｃが配設され、さらにその外側に、第六のプリント配線基板１７ｃが配設される。このように、第五のプリント配線基板１６ｃと第六のプリント配線基板１７ｃは、フレーム５６の側壁５６１の外周面と、ベゼル６１の側壁６１１の内周面との間に配設される。
【０１２３】
信号電極ドライバ１２が実装される回路基板１３が、第五のプリント配線基板１６ｃと第六のプリント配線基板１７ｃのそれぞれの互いに対向する側の面に接続される構成であると、第五のプリント配線基板１６ｃに接続する回路基板１３と第六のプリント配線基板１７ｃに接続する回路基板１３のサイズを同じにできる。したがって、信号電極ドライバ１２が実装される回路基板１３の種類を増加させる必要がない。
【０１２４】
なお、第五のプリント配線基板１６ｃと第六のプリント配線基板１７ｃとは、ネジなどによってあらかじめ一体的に結合され、その状態でフレーム５６の側壁５６１の外周面上に配設される構成であってもよい。
【０１２５】
そして、シャーシ５１の背面側に装着されるコントロール回路基板６２と、第五のプリント配線基板１６ｃおよび第六のプリント配線基板１７ｃとが、ＦＰＣ６４，６５によって直接的に電気的に接続される。
【０１２６】
次に、本発明の第一実施形態にかかる表示装置から第三実施形態にかかる表示装置のいずれか（以下、「本発明の実施形態にかかる表示装置」と称し、符号「６」を付す）を備えるテレビ受信機について説明する。図１１は、本発明の実施形態にかかる表示装置６が適用されるテレビ受信機７の要部の構成を、模式的に示した分解斜視図である。このテレビ受信機７は、本発明の実施形態にかかる表示装置６と、チューナ７１と、拡声手段７２と、電源７３と、キャビネット７４１，７４２と、支持部材７５とを備える。
【０１２７】
本発明の実施形態にかかる表示装置６を除く各部材は、従来公知の一般的なものが適用できる。したがって以下簡単に説明し、詳細な説明は省略する。
【０１２８】
チューナ７１は、受信した電波や外部から入力された信号に基づいて、所定のチャンネルの映像信号と音声信号とを生成する回路が構築される回路基板である。チューナ７１には、従来一般の地上波（アナログ地上波および／またはデジタル地上波）チューナ、ＢＳチューナ、ＣＳチューナのいずれかまたは複数が適用される。拡声手段７２は、一般的なスピーカなどの従来一般の拡声手段が適用できる。電源７３は、本発明の実施形態にかかる表示装置６、チューナ７１、拡声手段７２などに電力を供給する。
【０１２９】
そして図１１に示すように、本発明の実施形態にかかる表示装置６、チューナ７１、拡声手段７２がキャビネット７４１，７４２に収納され、支持部材７５により支持される。図１１に示すテレビ受信機７は、キャビネットが前面側キャビネット７４１と背面側キャビネット７４２とからなり、これらの間に本発明の実施形態にかかる表示装置６、チューナ７１、拡声手段７２が収納される構成を有する。なお、本発明の実施形態にかかる表示装置に、チューナ、電源、拡声手段などが組み付けられる構成であってもよい。
【０１３０】
以上、本発明の実施形態について、図面を参照して詳細に説明したが、本発明は前記実施形態に何ら限定されるものではなく、本発明の趣旨を逸脱しない範囲において種々の改変が可能であることはいうまでもない。
【０１３１】
たとえば、前記実施形態においては、計四枚のプリント配線基板を有する構成を示したが、プリント配線基板の数は限定されるものではない。液晶表示パネルのサイズの大型化にともなって、６枚以上のプリント配線基板を備える構成であってもよい。
【図面の簡単な説明】
【０１３２】
【図１】本発明の第一実施形態にかかる液晶表示アセンブリの構成を模式的に示した外観斜視図である。
【図２】本発明の第一実施形態にかかる液晶表示アセンブリから第一のプリント配線基板と、第二のプリント配線基板および信号電極ドライバが実装される回路基板とを抜き出して示した拡大図である。
【図３】本発明の第一実施形態にかかる液晶表示アセンブリを備える表示装置に適用できる光源装置の要部の構成を、模式的に示した分解斜視図である。
【図４】本発明の第一実施形態にかかる液晶表示アセンブリおよび前記光源装置を備える表示装置の要部の構成を、模式的に示した分解斜視図である。
【図５】本発明の第二実施形態にかかる液晶表示アセンブリの構成を模式的に示した外観斜視図である。
【図６】本発明の第二実施形態にかかる液晶表示アセンブリから第三のプリント配線基板と、第四のプリント配線基板および信号電極ドライバが実装される回路基板とを抜き出して示した拡大図である。
【図７】本発明の第二実施形態にかかる液晶表示アセンブリが適用される表示装置から、この液晶表示アセンブリと、フレームと、ベゼルとを抜き出して示した断面模式図である。
【図８】本発明の第三実施形態にかかる液晶表示アセンブリの構成を模式的に示した外観斜視図である。
【図９】本発明の第三実施形態にかかる液晶表示アセンブリから第五のプリント配線基板と、第六のプリント配線基板および信号電極ドライバが実装される回路基板とを抜き出して示した拡大図である。
【図１０】本発明の第三実施形態にかかる液晶表示アセンブリが適用される表示装置から、この液晶表示アセンブリと、フレームと、ベゼルとを抜き出して示した断面模式図である。
【図１１】本発明の実施形態にかかる表示装置が適用されるテレビ受信機の要部の構成を模式的に示した分解斜視図である。
【図１２】液晶表示アセンブリの構成の従来例を模式的に示した外観斜視図である。
【符号の説明】
【０１３３】
１ａ  液晶表示アセンブリ
１１  液晶表示パネル
１２  信号電極ドライバ
１３  信号電極ドライバが実装される回路基板
１４  走査電極ドライバ
１５  走査電極ドライバが実装される回路基板
１６ａ  第一のプリント配線基板
１６１  ＦＰＣコネクタ
１６２  接続ランド
１６３  ダミーランド
１７ａ  第二のプリント配線基板
１７１  ＦＰＣコネクタ
１７２  接続ランド
１７３  ダミーランド
１７４ａ  延出部
５  光源装置
５１  シャーシ
５２  反射シート
５３  光源
５４  サイドホルダ
５５  光学シート類
５６  フレーム
５６１  側壁
５７  光源駆動回路基板
５８  光源駆動回路基板カバー
６  表示装置
６１  ベゼル
６１１  側壁
６２  コントロール回路基板
６２１  ＦＰＣコネクタ
６２２  ＦＰＣコネクタ
６３  コントロール回路基板カバー
６４  ＦＰＣ
６５  ＦＰＣ
７  テレビ受信機
７１  チューナ
７２  拡声手段
７３  電源
７４１，７４２  キャビネット
７５  支持部材
【図１】
2008129510.tif 000003
【図２】
2008129510.tif 000004
【図３】
2008129510.tif 000005
【図４】
2008129510.tif 000006
【図５】
2008129510.tif 000007
【図６】
2008129510.tif 000008
【図７】
2008129510.tif 000009
【図８】
2008129510.tif 000010
【図９】
2008129510.tif 000011
【図１０】
2008129510.tif 000012
【図１１】
2008129510.tif 000013
【図１２】
2008129510.tif 000014